(57)【要約】【課題】断熱材ブロックの枚数が多い床下点検口であっても点検作業を行なう人が出入りし易くした床下点検口を提供する。【解決手段】床２に形成された開口部３を蓋体４により開閉自在とし、蓋体４の下側に位置するように複数枚の積層接着される断熱ブロック１８，１９を設け、最上段の断熱ブロック１８は平面形状が４角形であり、その下側の断熱ブロック１９はコーナーが切除されて平面形状が８角形であって、断熱ブロック１８，１９を積層接着した状態において最上段の断熱ブロック１８のコーナー部が下側の断熱ブロック１９よりも突出するように構成され、開口部３の下方に取り付けられて最上段の断熱ブロック１８の１枚分の深さを有するように断熱材により作られてなる受枠２０に積層接着された断熱ブロック１８，１９が嵌入して受枠２０のコーナー部下端内面の受け部２５に最上段の断熱ブロック１８のコーナー部が受けられるように構成した。【選択図】図５
2008240384.tif 000002
【特許請求の範囲】
【請求項１】
床の一部を開口させて、その開口部を蓋体により開閉自在とし、前記開口部の下方において開口部を閉じる蓋体の下側に位置するように複数枚の積層接着される断熱ブロックを設けて床下冷気の室内への浸入を防止するように構成してなる床下点検口において、最上段の断熱ブロックは平面形状が４角形であり、その下側の断熱ブロックはコーナーが切除されて平面形状が８角形であって、断熱ブロックを積層接着した状態において最上段の断熱ブロックのコーナー部が下側の断熱ブロックよりも突出するように構成され、前記開口部の下方に取り付けられて前記最上段の断熱ブロック１枚分の深さを有するように断熱材により作られてなる受枠に前記積層接着された断熱ブロックが嵌入して受枠のコーナー部下端内面の受け部に最上段の断熱ブロックのコーナー部が受けられ、最上段の断熱ブロックよりも下側の断熱ブロックは受枠より下方に突出するように構成したことを特徴とする床下点検口。
【発明の詳細な説明】
【技術分野】
【０００１】
本発明は、特に寒冷地において好適で断熱効果のある床下点検口に関するものである。
【背景技術】
【０００２】
従来のこの種断熱効果のある床下点検口としては特許文献１に開示されているように、蓋体の内側に形成された断熱材収納用空間部内に複数枚の断熱材ブロックを断熱材収納用空間部に対し取り出し可能に収納したものが知られている。
【特許文献１】特開２００１−１２３６５３号公報
【発明の開示】
【発明が解決しようとする課題】
【０００３】
上記特許文献１に開示されている床下点検口において、断熱材収納用空間部内に収納される断熱材ブロックの枚数はその床下点検口が設けられる地域に応じて決められ、断熱材ブロックの枚数が多いほど断熱材収納用空間部は深く作られている。断熱材収納用空間部はせき板で囲まれた状態で形成されているが、点検口を開いて点検作業を行なうとき、せき板が深く存在すると、点検作業を行なう人が出入りするとき非常に窮屈であるという問題があった。
【０００４】
本発明の目的は、このような課題を解決するものであり、断熱ブロックの枚数が多い床下点検口であっても点検作業を行なう人が出入りし易くした床下点検口を提供することにある。
【課題を解決するための手段】
【０００５】
本発明の請求項１に記載の床下点検口は、床の一部を開口させて、その開口部を蓋体により開閉自在とし、前記開口部の下方において開口部を閉じる蓋体の下側に位置するように複数枚の積層接着される断熱ブロックを設けて床下冷気の室内への浸入を防止するように構成してなる床下点検口において、最上段の断熱ブロックは平面形状が４角形であり、その下側の断熱ブロックはコーナーが切除されて平面形状が８角形であって、断熱ブロックを積層接着した状態において最上段の断熱ブロックのコーナー部が下側の断熱ブロックよりも突出するように構成され、前記開口部の下方に取り付けられて前記最上段の断熱ブロック１枚分の深さを有するように断熱材により作られてなる受枠に前記積層接着された断熱ブロックが嵌入して受枠のコーナー部下端内面の受け部に最上段の断熱ブロックのコーナー部が受けられ、最上段の断熱ブロックよりも下側の断熱ブロックは受枠より下方に突出するように構成したことを特徴とする。
【発明の効果】
【０００６】
以上のように、本発明の床下点検口は、積層接着された断熱ブロックを受ける受枠は最上段の断熱ブロック１枚分の深さを有するものであるので、積層接着された断熱ブロックの全体厚みと同じ深さの受枠に比べて点検作業を行なう人が出入りし易くなる。また、積層接着された断熱ブロックを受ける受枠には下側の断熱ブロックよりも突出する最上段の断熱ブロックのコーナー部を受けるためにコーナー部下端内面にのみ受け部が設けられており、受枠の内面全周に断熱ブロックを受ける受け部が形成されている場合に比べて作業する人の出入りが容易に行なえる。
【発明を実施するための最良の形態】
【０００７】
以下、本発明の実施の形態を、図面に基づき具体的に説明する。
先ず、図１〜図７に示す第１の実施の形態について説明すると、１は建物の床２の一部に形成された平面形状が正方形の床下点検口で、この床下点検口１は床２の一部を開口させて、その開口部３を床２の表面材料と同材料を用いて作られた蓋体４により開閉自在としている。床２に形成された開口部３には内周を覆うように外枠５が設けられ、前記蓋体４は外枠５内に嵌り込んだ状態で外枠５の下部に形成された凹部６内に設けられた気密材７に載るように構成されている。なお、蓋体４の外周は内枠８で囲まれている。９は内枠８を蓋体４に対して取り付けるねじである。また、前記外枠５は下部が受け桟１０上に載せられてねじ１１により取り付けられている。ところで、前記受け桟１０は前記床２を構成する下地材１２およびこの下地材１２の上に載る表面の床材１３を受ける根太１４に対し釘１５打ちにより取り付けられている。床下点検口１は基本的には上記の構成からなるものであるが、寒冷地において床下の冷気が室内に浸入するのを防止するために本実施の形態では床２の下地材１２の下に断熱材１６および１７が設けられるとともに、前記開口部３の内側で蓋体４の下側に位置するように発泡体からなる上下２段の断熱ブロック１８，１９が設けられている。この断熱ブロック１８と断熱ブロック１９は２枚重ねで、互いに接着固定されている。２０はこの２枚重ねの断熱ブロック１８，１９が嵌入されて２枚重ねの断熱ブロック１８，１９を受ける平面形状が正方形の受枠で、上側の断熱ブロック１８の１枚分の深さを有し、この受枠２０も発泡体からなる断熱材により作られている。さらに詳しくは、前記断熱ブロック１８と１９はコーナー部を除いて同じ構成となっており、上面にコーナー部を除いて膨らむ上窄まり状の膨らみ部１８ａ，１９ａを備え、下面に前記膨らみ部１８ａ，１９ａが嵌合する下拡がり状の凹部１８ｂ，１９ｂを備え、上面の膨らみ部１８ａ，１９ａの中央に凹入した掴み部１８ｃ，１９ｃが形成されている。そして、上側の断熱ブロック１８はコーナーが切除されずに平面形状が正方形を呈し、少なくとも下端部におけるコーナー部の周壁面は下窄まり状に形成されているが、コーナー部だけでなく全周が下窄まり状に形成されていても良い。このように、上側の断熱ブロック１８はコーナーが存在したままの平面形状が正方形を呈しているが、下側の断熱ブロック１９はコーナーが切除されていて平面形状が８角形を呈している。前記上側の断熱ブロック１８には前記下端部の下窄まり状部分よりも上側の周壁面の上下２箇所の位置に受枠２０の内面に圧接するようにエチレンプロピレンゴムの発泡体からなる気密材２１が全周に亘って設けられている。従って、上側の断熱ブロック１８の下側に下側の断熱ブロック１９を積層接着させた状態において上側の断熱ブロック１８のコーナー部１８ｄが下側の断熱ブロック１９よりも外側に突出することになる。次に、前記受枠２０は前記受け桟１０の下側に重なって位置するように前記根太１４に対しねじ２２止めされた金属製のホルダー２３に取り付けられる。詳しくは、ホルダー２３は前記受け桟１０の下側で前記根太１４に上端がねじ２２止めされる鉛直方向に向く板部２３ａと、この板部２３ａの下端に折り曲げにより連設された上向きの爪片２３ｂとを備え、根太１４に取り付けられたホルダー２３に対し前記爪片２３ｂが受枠２０の下端に突き刺さるように受枠２０を上からセットする。受枠２０の上面には前記受け桟１０の下面に圧接するようにエチレンプロピレンゴムの発泡体からなる気密材２４が全周に亘って設けられている。さらに、受枠２０のコーナー部下端内面には前記下側の断熱ブロック１９よりもコーナー部１８ｄが外側に突出する上側の断熱ブロック１８を受ける上拡がり状の受け部２５が一体に設けられている。なお、この受枠２０の取り付け作業は前記受け桟１０や外枠５の取り付け作業よりも先に行なわれる。
【０００８】
上記構成において、床下点検口１の蓋体４が閉じられているときは前記２枚重ねの断熱ブロック１８，１９が受枠２０で受けられている。そのとき、下側の断熱ブロック１９よりも突出する上側の断熱ブロック１８のコーナー部１８ｄが受枠２０の受け部２５で受けられ、下側の断熱ブロック１９は受枠２０から下方に突出した状態にある。かかる状態で、床下点検作業を行なうときは、前記蓋体４を持ち上げて開口部３を開き、その後２枚重ねの断熱ブロック１８，１９を受枠２０から持ち上げて開口部３から取り出すことにより開口部３に対し作業する人が出入り可能な状態となる。このとき、前記受枠２０に対し作業する人が出入りしなければならないが、受枠２０の深さは上側の断熱ブロック１８の１枚分で良く、しかも受枠２０には断熱ブロック１８，１９を受ける受け部２５がコーナー部内面に形成されているのみであるため、つまり受枠２０の内面全周に断熱ブロック１８，１９を受ける受け部が形成されていないため、作業する人の出入りが容易に行なえる。
【０００９】
次に、図８〜図１０に示す第２の実施の形態について説明すると、前記第１の実施の形態では２枚重ねの断熱ブロック１８，１９の上側の断熱ブロック１８を受けるために、受枠２０のコーナー部下端内面に受け部２５が一体に設けられているが、第２の実施の形態では断熱ブロック１８を受ける受け部として受枠２０のコーナー部下端内面に金属製の受け部材２６を取り付けるようにしている。この受け部材２６は、受枠２０のコーナー部下端内面に当接する直角に折り曲げられた板部２６ａ，２６ａと、この板部２６ａ，２６ａの上端に連設された外向きの爪片２６ｂ，２６ｂと、板部２６ａ，２６ａの下端に内側に直角に折り曲げられた３角形状の受け板部２６ｃ，２６ｃとからなり、前記爪片２６ｂ，２６ｂを受枠２０のコーナー部下端内面に突き刺すとともに板部２６ａ，２６ａの外面を受枠２０のコーナー部下端内面に両面粘着テープで貼り付けるなどすることにより受枠２０のコーナー部下端内面に装着されるようになっている。他の構成は前記第１の実施の形態と同様である。
【００１０】
なお、以上述べた実施の形態では床下点検口１は平面形状が正方形であって、それに合わせて開口部３、蓋体４、断熱ブロック１８、受枠２０などは平面形状が正方形に作られているが、平面形状が正方形に限定されるものではなく、平面形状が長方形であっても良い。また、断熱ブロック１８，１９を２枚重ねで積層接着したが、２枚重ねに限定されるものではなく、３枚重ねであっても良い。
【図面の簡単な説明】
【００１１】
【図１】本発明の第１の実施の形態において用いられ２枚重ねにされる断熱ブロックおよび受枠の分解斜視図である。
【図２】同２枚重ねにされる断熱ブロックを裏向けて見た斜視図である。
【図３】同受枠の取り付け用のホルダーの斜視図である。
【図４】同床下点検口を開いた状態を示す断面図である。
【図５】同床下点検口を閉じた状態を示す断面図である。
【図６】同受枠で２枚重ねにされた上側の断熱ブロックを受けた状態を示す裏面図である。
【図７】図５の要部拡大断面図である。
【図８】本発明の第２の実施の形態における受枠の斜視図である。
【図９】同受枠のコーナー部下端内面に取り付けられる受け部材の斜視図である。
【図１０】同受枠で２枚重ねにされた上側の断熱ブロックを受けた状態を示す断面図である。
【符号の説明】
【００１２】
１              床下点検口
２              床
３              開口部
４              蓋体
５              外枠
６              凹部
７              気密材
８              内枠
１０              受け桟
１２              下地材
１３              床材
１４              根太
１６，１７        断熱材
１８，１９        断熱ブロック
１８ａ，１９ａ    膨らみ部
１８ｂ，１９ｂ    凹部
１８ｃ，１９ｃ    掴み部
１８ｄ            コーナー部
２０              受枠
２１              気密材
２２              ねじ
２３              ホルダー
２３ａ            板部
２３ｂ            爪片
２４              気密材
２５              受け部
２６              受け部材
２６ａ            板部
２６ｂ            爪片
２６ｃ            受け板部
【図１】
2008240384.tif 000003
【図２】
2008240384.tif 000004
【図３】
2008240384.tif 000005
【図４】
2008240384.tif 000006
【図５】
2008240384.tif 000007
【図６】
2008240384.tif 000008
【図７】
2008240384.tif 000009
【図８】
2008240384.tif 000010
【図９】
2008240384.tif 000011
【図１０】
2008240384.tif 000012